(57)【要約】【課題】集水桝本体への加工を最小限に抑えつつ、施工性が良く、また、降雨や融雪水等を効率よく集水することの可能な蓋構造、および蓋構造を備える集水桝を提供する。【解決手段】集水桝本体の上部小口面に設置される蓋枠と、該蓋枠に収納されて前記集水桝本体の上端開口を覆う蓋本体とを備える蓋構造であって、前記蓋枠が、内周側に前記蓋本体が載置される蓋高調整材を備えた筒状の立上がり部と、該立上り部から張り出すとともに、前記集水桝本体の上部小口面と対向する張出し部とを備え、前記張出し部に、前記集水桝本体の上部小口面との間に隙間を設けて前記蓋枠を支持することの可能な蓋枠支持材が設置されることを特徴とする。【選択図】図２
2019210683.tif 000002
【特許請求の範囲】
【請求項１】
集水桝本体の上部小口面に設置される蓋枠と、該蓋枠に収納されて前記集水桝本体の上端開口を覆う蓋本体と、を備える蓋構造であって、
前記蓋枠が、内周側に前記蓋本体が載置される蓋高調整材を備えた筒状の立上がり部と、該立上り部から張り出すとともに、前記集水桝本体の上部小口面と対向する張出し部と、を備え、
前記張出し部に、前記集水桝本体の上部小口面との間に隙間を設けて前記蓋枠を支持することの可能な蓋枠支持材が設置されることを特徴とする蓋構造。
【請求項２】
請求項１に記載の蓋構造において、
前記蓋枠の下面に一端近傍が取り付けられ、他端が前記集水桝に隣接する舗装層内に配置される導水材を備えることを特徴とする蓋構造。
【請求項３】
請求項１または２に記載の蓋構造において、
前記蓋枠の張出し部が、前記立上がり部の外周面であって下端部近傍に備えられており、
前記立上がり部の外周面と前記張出し部の上面とで区画される空間に、舗装領域を備えることを特徴とする蓋構造。
【請求項４】
請求項１から３のいずれか１項に記載の蓋構造を備えた集水桝であって、
前記蓋構造が、前記蓋高調整部材を介して前記集水桝本体に接続されていることを特徴とする集水桝。
【発明の詳細な説明】
【技術分野】
【０００１】
本発明は、道路や歩道等に設置される集水桝の蓋構造、および蓋構造を備える集水桝に関する。
【背景技術】
【０００２】
従来より、道路や歩道等の舗装層が敷設された舗装領域には、舗装面を流下、または舗装層内に流入した、雨水や融雪水等の水分が集水される集水桝が設置されている。集水桝は一般に、上端開口が蓋体により覆われたコンクリート造の筒状体よりなり、筒状体の上端面が集水桝周辺の舗装面と略同一高さとなるように高さが調整された状態で、舗装領域内もしくは舗装領域に隣接して設置されている。
【０００３】
このため、舗装面上を流下した雨水や融雪水等の水分は、集水桝の上端開口を覆う蓋体を介して集水桝内へ流入し排水されるが、舗装層内に流入した水分は、集水桝近傍まで流下しても、集水桝の周壁に堰き止められてしまい、集水桝内に流入できずに舗装層内に滞留しやすい。
【０００４】
このような中、例えば、特許文献１には、排水桝の周壁であって上端開口周辺の高さ範囲を全周にわたって、もしくは周方向の一部分を、透水壁として形成するなどして、舗装層内に流入した水分をこの透水壁から排水桝に流入させて排水する方法が開示されている。
【０００５】
また、特許文献２には、蓋の受枠に水抜き穴を穿孔し、この受枠を排水桝や側溝の上面に設置して、舗装層内に流入した水分をこの水抜き穴から排水桝に流入させて排水する方法が開示されている。
【先行技術文献】
【特許文献】
【０００６】
【特許文献１】特開２００３−７４１１１号公報
【特許文献２】特開平１０−３７２８６号公報
【発明の概要】
【発明が解決しようとする課題】
【０００７】
しかし、特許文献１では、コンクリート造の排水桝の周壁に透水壁を形成する加工を施すことから、排水桝の製造コストが高くなりやすいだけでなく、製作作業も煩雑なものとなりやすい。同様に、特許文献２も、受枠に穿孔作業を行う必要があるため、同様に作業が煩雑となりやすい。
【０００８】
また、特許文献１及び２のいずれも、排水桝の上端開口を覆う蓋体の蓋面が、排水桝の周壁に対して垂直に配置されている。このため、例えば排水桝を道路端に設置する場合に、蓋体の蓋面を横断勾配が設けられた道路の舗装面と連続する傾斜面に仕上げようとすると、排水桝を据付ける際に、その軸線を鉛直軸に対して横断勾配に応じて傾斜させなければならず、作業が煩雑であり施工性に劣っていた。
【０００９】
本発明は、かかる課題に鑑みなされたものであって、その主な目的は、集水桝本体への加工を最小限に抑えつつ、施工性が良く、また、降雨や融雪水等を効率よく集水することの可能な蓋構造、および蓋構造を備える集水桝を提供することである。
【課題を解決するための手段】
【００１０】
かかる目的を達成するため本発明の蓋構造は、集水桝本体の上部小口面に設置される蓋枠と、該蓋枠に収納されて前記集水桝本体の上端開口を覆う蓋本体と、を備える蓋構造であって、前記蓋枠が、内周側に前記蓋本体が載置される蓋高調整材を備えた筒状の立上がり部と、該立上り部から張り出すとともに、前記集水桝本体の上部小口面と対向する張出し部と、を備え、前記張出し部に、前記集水桝本体の上部小口面との間に隙間を設けて前記蓋枠を支持することの可能な蓋枠支持材が設置されることを特徴とする。
【００１１】
上述する本発明の蓋構造によれば、蓋枠支持材を介して蓋枠と集水桝本体の上部小口面との間に隙間を形成できることから、蓋構造を集水桝本体に設置するのみの簡略な構造で、集水桝の周壁に、蓋枠と集水桝本体の上部小口面との間の隙間を利用した導水口を設けることができ、集水桝の製造コストや製作手間を大幅に低減することが可能となる。
【００１２】
また、蓋本体は、蓋高調整材に載置される態様で蓋枠に収納されることから、蓋高調整材の高さを適宜調整することにより、蓋面を横断勾配が設けられている舗装領域の舗装面と連続する傾斜面に仕上げることができる。これにより、集水桝本体を据え付ける際に、その軸線を鉛直軸に対して舗装面の横断勾配に応じて傾斜させる等の煩雑な作業を省略でき、施工性を大幅に向上させることが可能となる。
【００１３】
本発明の蓋構造は、前記蓋枠の下面に一端近傍が取り付けられ、他端が前記集水桝に隣接する舗装層内に配置される導水材を備えることを特徴とする。
【００１４】
上述する本発明の蓋構造によれば、蓋枠の下面に舗装層内に延びる導水材が取り付けられることから、蓋構造を集水桝本体に設置すると、導水材の一端が集水桝の周壁に設けられた導水口に位置する態様となる。これにより、舗装層内に流入した雨水や融雪水等の水分を、導水材を介して効率よく導水口に導水し、スムーズに集水桝内に集水することが可能となる。
【００１５】
本発明の蓋構造は、前記蓋枠の張出し部が、前記立上がり部の外周面であって下端部近傍に備えられており、前記立上がり部の外周面と前記張出し部の上面とで区画される空間に、舗装領域を備えることを特徴とする
【００１６】
上述する本発明の蓋構造によれば、従来の一般的な集水桝において、蓋本体を囲うようにして舗装領域と蓋本体との間に存在していたコンクリート造の縁塊に代わって、舗装層を形成できる。これにより、舗装領域の舗装面と蓋本体の蓋面との連続性をより高めることができ、舗装面を流下する雨水や融雪水等の等の水分をよりスムーズに蓋本体に導水できるとともに、舗装領域の美観を集水桝により損ねる事態を回避することが可能となる。
【００１７】
上述する本発明の蓋構造を備えた集水桝は、前記蓋構造が、前記蓋枠支持材を介して前記集水桝本体に接続されていることを特徴とする。
【００１８】
上述する本発明の集水桝によれば、集水桝を舗装領域内もしくは舗装領域に隣接して配置することにより、蓋構造を構成する蓋枠と集水桝本体の上部小口面との間に形成された隙間を利用た導水口を介して、舗装層内に流入した雨水や融雪水等の水分を、集水桝周辺の舗装層内に滞留させることなく、集水桝内に導水することが可能となる。
【発明の効果】
【００１９】
本発明によれば、蓋構造を集水桝本体に設置するのみで、集水桝の周壁に導水口を形成でき、集水桝本体や蓋枠への加工を最小限に抑えつつ、舗装層に流入した降雨や融雪水等の水分を効率よく集水できる。また、蓋高調整材を適宜調整するのみで、蓋本体の蓋面を横断勾配が設けられた舗装領域の舗装面と連続させることができ、集水桝を設置する際の施工性を大幅に向上することが可能となる。
【図面の簡単な説明】
【００２０】
【図１】本発明の実施の形態における集水桝が舗装領域に隣接して設置されている様子を示す図である。
【図２】本発明の実施の形態における集水桝および蓋構造の詳細を示す図である。
【図３】本発明の実施の形態における蓋構造の側面を示す図である。
【図４】本発明の実施の形態における集水桝の平面図を示す図である。
【図５】本発明の実施の形態における導水材の詳細を示す図である。
【図６】本発明の実施の形態における舗装領域に集水桝が設置されている様子を示す図である。
【図７】従来の舗装領域に集水桝が設置されている様子を示す図である。
【発明を実施するための形態】
【００２１】
本発明は、舗装層が敷設される歩道、車道、駐車場、公園、建物の外構等の舗装領域に設置される集水桝と、この集水桝に備えられる蓋構造であり、コンクリート舗装、アスファルト舗装用ブロック舗装等、いずれの舗装層が敷設された舗装領域であっても採用可能である。本実施の形態では、集水桝を設置する舗装領域としてブロック舗装層が敷設される道路を事例に挙げ、以下にその詳細を説明する。
【００２２】
なお、集水桝１が設置される道路に敷設されるブロック舗装８は、図１で示すように、路床上に敷設される路盤７と、路盤７上に施工されるブロック舗装層６とにより構成されている。ブロック舗装層６は、敷砂層６１、舗装用ブロック６２、および目地材６３を備える。路盤７は、下層路盤７１および上層路盤７２と、上層路盤７２の上面に敷設される不透水層７３を備えており、敷砂層６１に流入した水分を路盤７に透水させない、いわゆる不透水性構造となっている。
【００２３】
上述するブロック舗装８に隣接して配置される集水桝１は、集水桝本体２と蓋構造３とを備え、集水桝本体２は、図２で示すように、集水部となる中空部２１と、中空部２１を囲う周壁２２と、上端開口が形成された上部小口面２３とを備える、コンクリート造の筒体よりなる。これら集水桝本体２の上部小口面２３に、鋼構造の蓋構造３が設置されている。
【００２４】
蓋構造３は、図２及び図３で示すように、蓋本体３１と、蓋枠３２と、蓋高調整材３３と、蓋枠支持材３４とを備える。蓋本体３１は、雨水や融雪水等の水分を集水桝本体２の中空部２１に流入させるための通水孔や通水溝が形成されており、蓋枠３２に収納された態様で、集水桝本体２の上部小口面２３に形成されている上端開口を覆っている。
【００２５】
蓋枠３２は、筒状の立上がり部３２１と、立上り部３２１の外周面から張り出す張出し部３２２を備え、立上り部３２１の内周側には蓋本体３１が載置される蓋高調整材３３が設けられている。蓋高調整材３３は、立上がり部３２１の内周側であればいずれの位置に設置してもよいが、本実施の形態では、図２及び図４で示すように、対向する２箇所に対をなして配置している。
【００２６】
したがって、対をなす蓋高調整材３３各々の高さａ、ｂを適宜調整することにより、これらに載置される蓋本体３１の蓋面を、集水桝本体２の周壁２２に対して垂直な面に形成したり、所望の角度に傾斜させることが可能となる。なお、蓋本体３１の蓋面を傾斜させる場合には、この傾斜に合わせて立上り部３２１の上端面を成形し、図２で示すように、蓋本体３１の蓋面と立上り部３２１の上端を連続させるとよい。
【００２７】
一方、立上り部３２１の外周面から張り出す張出し部３２２は、図２で示すように、集水桝本体２の上部小口面２３と対向する面を有するとともに、この面に蓋枠支持材３４が備えられている。なお、本実施の形態では、図４で示すように、蓋枠支持材３４を備える張出し部３２２を、立上り部３２１の外周面に４か所設けているが、その数量はいずれであってもよい。
【００２８】
蓋枠支持材３４は、図２で示すように、集水桝本体の２の上部小口面２３に埋設したインサートナット３４１と、インサートナット３４１に嵌合するボルト３４２とを備える。ボルト３４２は、張出し部３２２に設けた図示しない貫通孔を貫通しているが、この貫通孔にはその内周面に、ボルト３４２と螺号する螺号溝が設けられている。したがって、張出し部３２２は貫通孔を介してボルト３４２に係止されている。これにより、蓋枠支持材３４は、図３（ａ）で示すように、蓋枠３２を集水桝本体２の上部小口面２３との間に隙間を設けた状態で支持することができる。
【００２９】
また、蓋枠支持材３４は、インサートナット３４１とボルト３４２により構成されていることから、集水桝本体２と蓋構造３を接合する機能を有する。したがって、蓋構造３を集水桝本体２の上部小口面２３に載置した後、蓋枠支持材３４を介して、蓋枠３２と集水桝本体２の上部小口面２３との間の隙間を所望の量に調整しつつ、蓋構造３を集水桝本体２接続することで、導水口３５として利用可能な隙間を周壁に有する集水桝１が構築される。
【００３０】
このように、蓋構造３と集水桝本体２を蓋枠支持材３４で接続するのみの簡略な構成で、集水桝１を構築でき、かつ、集水桝本体２や蓋枠３２への加工を最小限に抑えつつ、集水桝１の周壁に導水口３５を設けることができるため、集水桝１の製造コストや製作手間を大幅に低減することが可能となる。
【００３１】
上述する構成の蓋構造３を備える集水桝１は、図１で示すように、ブロック舗装８が敷設された道路の道路端に配置され、導水口３５に導水材５が配置された状態で、導水口３５および導水材５がブロック舗装層６の敷砂層６１内の高さに位置するよう設置される。
【００３２】
導水材５は、図４で示すように、部材厚が敷砂層６１に収まる薄さに形成された帯状部材よりなり、図５で示すように、水を透過させるフィルター材５１と、フィルター材５１に被覆され、フィルター材５１を透過した水を長手方向に導水する通水空間５２１を有する帯状の芯材５２とを備える。
【００３３】
芯材５２は、例えば硬質プラスチック材等の帯状平板よりなり、幅方向の断面が波形状やＨ字を複数連結させた形状等に成形されて、長さ方向に水が流下する通水空間５２１を幅方向に複数有している。また、フィルター材５１は、芯材５２を被覆するシート状部材であり、水を透過するものの、ブロック舗装層６の敷砂層６１を構成する粒状材料を通過させない程度の目開きもしくは開口を備えている。材料として合成繊維を採用しているが、例えば不織布等を用いてもよい。
【００３４】
上述する構成の導水材５は、一端近傍が蓋枠３２の下面に取り付けられた状態で、一端が集水桝本体２の中空部２１に突出し、他端がブロック舗装８内に配置されるようにして、路盤７を構成する不透水層７３の上面に敷設され、敷砂層６１に埋設されている。これにより、降雨等により舗装用ブロック６２もしくは目地材６３を介して敷砂層６１に流入した水分は、敷砂層６１に流入した後、導水材５および導水口３５を介してスムーズに集水桝１に集水される。
【００３５】
なお、導水材５として、本実施の形態では軟弱地盤の地盤改良工法等に用いられるボードドレーンを採用しているが、ブロック舗装層６を介して車両や自転車等の荷重が作用した際に、破壊しない程度の耐力を有するとともに、敷砂層６１に流入した水分を集水して、導水口３５に導水できる構造を有していれば、いずれを採用してもよい。
【００３６】
また、導水材５を蓋枠３２の下面に取り付ける手段はいずれでもよく、導水口３５の高さが低い場合には、図３（ｂ）で示すように、蓋枠３２と集水桝本体２の上部小口面２３との間に挟み込むのみの態様でもよい。
【００３７】
さらに、導水口３５は、敷砂層６１を構成する粒状材料が導水口３５から集水桝本体２の中空部２１に流入しないように、導水材５の周囲を充填材４にて間詰しておくとよい。
【００３８】
上述する蓋構造を備えた集水桝１によれば、ブロック舗装層６内に流入した雨水や融雪水等の水分を、集水桝１周辺に滞留させることなく、導水口３５を介して集水桝本体２内に導水できる。したがって、従来のような、水分が集水桝本体２の周壁に堰き止められて、集水桝１周辺の敷砂層６１内に滞留することを抑制でき、これに伴い、集水桝１周辺の敷砂層６１の支持力が低下して舗装用ブロック６２に沈下や浮きが生じる現象も抑制することも可能となる。
【００３９】
本発明の蓋構造３および蓋構造３を備えた集水桝１は、上記実施形態に限定されるものではなく、本発明の趣旨を逸脱しない範囲で種々の変更が可能である。
【００４０】
例えば、図１で示すように、集水桝１を道路端に配置する際には、前述した対をなす蓋高調整材３３を、道路端側、およびこれと対向する道路中心側の２箇所に対をなして設置するとよい。このとき、蓋本体３１の蓋面が、横断勾配により傾斜するブロック舗装８の舗装面と平行とになるよう、図２で示すように、高さａの低い蓋高調整材３３を道路端側に、高さｂの高い蓋高調整材３３を道路中心側に配置し、高低差があらかじめ調整しておく。
【００４１】
これにより、蓋高調整材３３に載置される態様で蓋枠３２に収納される蓋本体３１は、蓋面を横断勾配が設けられているブロック舗装８の舗装面と連続する傾斜面に仕上げることができる。したがって、集水桝本体２を据え付ける際に、軸線を鉛直軸に対して傾斜させる等の煩雑な作業を省略できるとともに、蓋枠３２を集水桝本体２に設置する際も、張出し部３２２が集水桝本体２の上部小口面２３と平行となるよう設置すればよく、施工性を大幅に向上させることが可能となる。なお、蓋本体３１の高さや傾斜は、蓋枠支持材３４にインサートナット３４１とボルト３４２を採用しているため、施工現場において、さらに微調整も可能である。
【００４２】
また、本実施の形態では、蓋高調整材３３をあらかじめ工場等で製作した成形品とし、これを立上がり部３２１の内周面に固定しているが、必ずしもこれに限定するものではない。蓋高調整材３３として異なる高さの成形品を複数準備し、現場にて立上り部３２１の内周側に着脱自在に固定する、もしくは、蓋高調整材３３に高さ変更機能を付与して立上り部３２１の内周側に固定する等、いずれを採用してもよい。
【００４３】
さらに、本実施の形態では、図４で示すように、集水桝１の３か所に導水材５を設置しているが、その数量はいずれでもよく、また、導水材５を用いることなく、導水口３５のみを設ける構成としてもよい。この場合には、導水口３５に雨水や融雪水等の水分のみを透過させるフィルター材を設置するとよい。
【００４４】
また、本実施の形態では、蓋枠支持材３４をインサートナット３４１とボルト３４２により構成し、集水桝本体２の上部小口面２３との間に隙間を設けて蓋枠３２を支持する機能と、集水桝本体２と蓋構造３を接続する機能の両者を併せ持つ構造とした。しかし、必ずしもこれに限定されるものではなく、上記の機能を持ち合わせているいずれの構造の治具を採用してもよい。もしくは、蓋枠支持材３４に、集水桝本体２の上部小口面２３との間に隙間を設けて蓋枠３２を支持する機能のみを持たせ、集水桝本体２と蓋構造３を接続する機能を別途に設ける構成としてもよい。
【００４５】
加えて、蓋構造３の蓋枠３２に備える張出し部３２２は、立上がり部３２１の外周面であって下端部近傍に設けるとよい。こうすると、集水桝本体２の上部小口面２３の上方であって、立上がり部３２１の外周面と張出し部３２２の上面とで区画される空間に、舗装領域を備えることができる。
【００４６】
これにより、従来の一般的な集水桝において、図７（ａ）の平面図および図７（ｂ）の断面図で示すような、蓋本体３１を囲うように配置されて蓋本体３１と舗装用ブロック６２との間に露出していた、コンクリート造の縁塊１０に代わって、図１および図６で示すように、舗装用ブロック６２や縁石ブロック９を蓋本体３１と隣り合うように配置できる。これにより、ブロック舗装８の舗装面と蓋本体３１の蓋面との連続性をより高めることができ、ブロック舗装８の舗装面を流下する水分を、よりスムーズに集水桝１内に導水できるとともに、図６で示すように、ブロック舗装８が敷設された道路の美観を向上することが可能となる。
【符号の説明】
【００４７】
１        集水桝
２        集水桝本体
２１      中空部
２２      周壁
２３      上部小口面
３        蓋構造
３１      蓋本体
３２      蓋枠
３２１    立上がり部
３２２    張出し部
３３      蓋高調整材
３４      蓋枠支持材
３４１    インサートナット
３４２    ボルト
３５      導水口
４        充填材
５        導水材
５１      フィルター材
５２      芯材
５２１    通水空間
６        ブロック舗装層
６１      敷砂層
６２      舗装用ブロック
６３      目地材
７        路盤
７１      下層路盤
７２      上層路盤
７３      不透水層
８        ブロック舗装
９        縁石ブロック
１０      縁塊
【図１】
2019210683.tif 000003
【図２】
2019210683.tif 000004
【図３】
2019210683.tif 000005
【図４】
2019210683.tif 000006
【図５】
2019210683.tif 000007
【図６】
2019210683.tif 000008
【図７】
2019210683.tif 000009